(57)【特許請求の範囲】
【請求項１】
板状部材差込み部及び該板状部材差込み部に連結された板状部材収容部が設けられたハウジングと、該ハウジングに配列配置されて設けられ、上記板状部材差込み部を通じて上記ハウジングに差し込まれて上記板状部材収容部に部分的に収容された配線板状部材における複数の接触端子部に夫々接触接続される複数のコンタクトとを備え、上記ハウジングが、上記板状部材収容部を形成するものとして上記複数のコンタクトの配列方向において相互対向する第１及び第２の側壁部と上記複数のコンタクトの配列方向に直交する方向において相互対向する第１及び第２の平面部とを有し、上記第１の平面部を配線基板に対接させて該配線基板に取り付けられるものとされて構成され、
上記第１の側壁部に、該第１の側壁部から上記板状部材収容部内に突出して上記ハウジング外に露出することなく上記第１及び第２の平面部の間となる位置に配され、上記板状部材差込み部を通じて上記ハウジングに差し込まれた配線板状部材の相互対向する第１及び第２の側端部のうちの第１の側端部に当接して、該配線板状部材に上記第２の側壁部に向かう方向の弾性力を作用させる弾性押圧部材が設けられるとともに、上記第２の側壁部に、上記板状部材差込み部を通じて上記ハウジングに差し込まれた配線板状部材における上記第１及び第２の側端部のうちの第２の側端部が当接する当接面部が設けられ、上記弾性押圧部材が、上記第１の平面部に形成された開口部を通じて上記第１の平面部の外部に臨むものとされたことを特徴とするコネクタ装置。
【請求項２】
上記複数のコンタクトが、上記板状部材差込み部を通じて上記ハウジングに差し込まれた配線板状部材が、上記第２の側端部を上記ハウジングにおける上記当接面部に当接させた状態をもって上記板状部材収容部に部分的に収容されたとき、該配線板状部材における上記複数の接触端子部に夫々対応する位置をとることを特徴とする請求項１記載のコネクタ装置。
【請求項３】
上記弾性押圧部材が、上記ハウジングと一体に形成された片持ち舌片状部を成すことを特徴とする請求項１記載のコネクタ装置。
【請求項４】
上記弾性押圧部材が、上記ハウジングから伸びる弾性アーム状部と該弾性アーム状部により支持された当接係合部とを有し、配線板状部材の上記板状部材差込み部を通じた上記ハウジングへの差込みがされていないもとで、上記ハウジングにおける上記当接面部から上記当接係合部までの距離が、上記配線板状部材における相互対向する第１及び第２の側端部のうちの一方から他方までの距離より小に選定されることを請求項１記載のコネクタ装置。
【請求項５】
上記弾性押圧部材が、上記板状部材差込み部を通じて上記ハウジングに差し込まれた配線板状部材の相互対向する第１及び第２の側端部のうちの第１の側端部に設けられた係合凹部に係合する状態をもって該第１の側端部に当接することを特徴とする請求項１記載のコネクタ装置。
【請求項６】
上記弾性押圧部材が、上記ハウジングから伸びる弾性アーム状部と該弾性アーム状部により支持された当接係合部とを有し、配線板状部材の上記板状部材差込み部を通じた上記ハウジングへの差込みがされていないもとで、上記ハウジングにおける上記当接面部から上記当接係合部までの距離が、上記配線板状部材における相互対向する第１及び第２の側端部のうちの一方から他方までの距離より小に選定され、配線板状部材の上記板状部材差込み部を通じた上記ハウジングへの差込みがなされたとき、上記当接係合部が上記配線板状部材に設けられた上記係合凹部に係合することを特徴とする請求項５記載のコネクタ装置。
【請求項７】
上記ハウジングに対して回動可能に設けられて第１の静止位置と第２の静止位置とを選択的にとり、配線板状部材が上記板状部材収容部に部分的に収容されたもとで、上記第１の静止位置から上記第２の静止位置に移行せしめられるとき、上記複数のコンタクトの夫々に上記複数の接触端子部のうちの対応するものに対する押圧接触状態をとらせ、上記第２の静止位置から上記第１の静止位置に移行せしめられるとき、上記複数のコンタクトの夫々を上記複数の接触端子部のうちの対応するものに対する押圧接触状態から解放するアクチュエータを備えることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）や平板状ケーブル（ＦＦＣ）等の配線板状部材に設けられた接続端子部を、固体印刷配線基板等とされる配線基板に電気的に接続された状態とするため、配線基板に連結されたもとで配線板状部材における接触端子部に押圧接触するコンタクトを備えたコネクタ装置に関する。
【背景技術】
【０００２】
各種の電子機器に実装される比較的小型なフレキシブル印刷配線基板や平板状ケーブル等の配線板状部材は、各種の電気部品が取り付けられる固体印刷配線基板等とされる配線基板への取付けが、当該主配線基板に電気的接続がなされて固定されたコネクタ装置が用いられて行われることが多いものとされる。このような配線板状部材の配線基板への取付けにあたって用いられるコネクタ装置は、配線基板に設けられた配線部に連結されたもとで配線板状部材に設けられた接触端子部に接触する導電性のコンタクトを有しており、そのコンタクトを介して、配線板状部材における接触端子部を配線基板における配線部に電気的に接続する。
【０００３】
従来提案されている、例えば、フレキシブル印刷配線基板とされる配線板状部材の配線基板への取付けに用いられるコネクタ装置は、複数の接触端子部が配列配置された配線板状部材の差込みがなされる差込み部が形成されたものとされて、配線基板に配されるハウジングを有したものとされている。斯かるハウジングには、複数のコンタクトが配列配置されて設けられており、複数のコンタクトは、配線基板に設けられた配線部に連結されるとともに、差込み部を通じてハウジングに差し込まれた配線板状部材における複数の接触端子部に夫々接触接続される。
【０００４】
このような従来提案されているコネクタ装置にあっては、配線基板に配されたハウジングへのそれに設けられた差込み部を通じた配線板状部材の差込みが、例えば、配線板状部材の全体がハウジングが配された配線基板の面に平行とされて、配線板状部材に配列配置された複数の接触端子部の配列方向とハウジングに配列配置された複数のコンタクトの配列方向とが同一方向とされる状態におかれたもとで、配線板状部材に配列配置された複数の接触端子部の配列方向に直交する方向を差込み方向として行われる。そして、コネクタ装置のハウジングには、それに設けられた差込み部もしくはその近傍に、差込み部を通じて差し込まれる配線板状部材に機械的に係合する係合部材が設けられていて、差込み部を通じてハウジングに差し込まれた配線板状部材は、ハウジングに設けられた係合部材との係合状態のもとにおかれて、ハウジング内における位置決めがなされる（例えば、特許文献１及び特許文献２参照）。
【０００５】
特許文献１には、フレキシブル基板コネクタについて第１〜第５の実施の形態が記載されているが、それらのうちの代表的なものである第１の実施の形態を、特許文献１に示されるコネクタ装置として取り上げる。この特許文献１に示されるコネクタ装置（フレキシブル基板コネクタ１）にあっては、配線板状部材（フレキシブル基板２５）用の差込み部（開口部１１ａ）が形成されたハウジング（１１）に、一対の係合部材（係合部１１ｂ）が設けられている。これらの一対の係合部材は、ハウジングに配列配置されて設けられた複数のコンタクト（接点ピン６）の配列方向において複数のコンタクトを挟むようにして対向配置されており、各々が複数のコンタクトの配列方向に弾性変位可能とされている。
【０００６】
このようなもとで、配線板状部材がハウジングにそれに形成された差込み部を通じて差し込まれるときには、ハウジングに設けられた一対の係合部材が、配線板状部材における相互対向する一対の側端部に夫々対応するものとなる。そして、一対の係合部材の夫々が、配線板状部材における側端部に形成された係合突起（被係合部２５ｄ）に係合し、それにより、配線板状部材のハウジングに対する位置決めがなされる。即ち、ハウジングにそれに形成された差込み部を通じて差し込まれた配線板状部材は、それにおける相互対向する一対の側端部に夫々係合する、各々が弾性変位可能とされた一対の係合部材により、ハウジングに設けられた複数のコンタクトの配列方向において挟まれて、ハウジングに対する位置決めがなされるのである。
【０００７】
また、特許文献２に示されるコネクタ装置（コネクタ１０）にあっては、配線板状部材（ＦＰＣ６０）用の差込み部（収納空間２５）が形成されたハウジング（インシュレータ２０）に、一対の係合部材（弾性係合片３４）が設けられている。これらの一対の係合部材は、ハウジングに配列配置されて設けられた複数のコンタクト（コンタクト４０）の配列方向において複数のコンタクトを挟むようにして対向配置されており、各々が係合部（３５）を有していて、複数のコンタクトの配列方向に弾性変位可能とされている。
【０００８】
このようなもとで、配線板状部材がハウジングにそれに形成された差込み部を通じて差し込まれるときには、ハウジングに設けられた一対の係合部材が、配線板状部材における相互対向する一対の側端部に夫々対応するものとなる。そして、一対の係合部材の夫々が有する係合部が、配線板状部材における側端部に形成された係合部（係合凹部６４）に係合し、それにより、配線板状部材のハウジングに対する位置決めがなされる。即ち、特許文献２に示されるコネクタ装置にあっても、ハウジングにそれに形成された差込み部を通じて差し込まれた配線板状部材は、それにおける相互対向する一対の側端部に夫々係合する、各々が弾性変位可能とされた一対の係合部材により、ハウジングに設けられた複数のコンタクトの配列方向において挟まれて、ハウジングに対する位置決めがなされるのである。
【先行技術文献】
【特許文献】
【０００９】
【特許文献１】特開２００７−２３４５２５号公報（段落００３１〜００３９、図１〜３，６）
【特許文献２】特開２０１０−２４４９８７号公報（段落００２３〜００２７、図１〜８，１２）
【発明の概要】
【発明が解決しようとする課題】
【００１０】
上述のように、ハウジングに各々が弾性変位可能とされた一対の係合部材が設けられ、それらがハウジングにそれに形成された差込み部を通じて差し込まれた配線板状部材に係合するようにされた従来のコネクタ装置にあっては、差込み部を通じてハウジングに差し込まれた配線板状部材のハウジングに対する位置決めが、当該配線板状部材における相互対向する一対の側端部に夫々係合する、ハウジングに設けられて各々が弾性変位可能とされた一対の係合部材により、ハウジングに配列配置された複数のコンタクトの配列方向において挟まれることにより行われる。斯かるもとにおいては、配線板状部材のハウジングに対する位置決めに関して、次のような事柄が懸念されるところとなる。
【００１１】
配線板状部材のハウジングに対する位置決めは、各々が弾性変位可能とされた一対の係合部材の夫々が配線板状部材に係合し、それにより一対の係合部材によって配線板状部材が挟まれることによりなされるが、一対の係合部材の夫々は、配線板状部材に係合するにあたって弾性変位を生じる。それゆえ、一対の係合部材により挟まれる配線板状部材は、一対の係合部材の夫々の弾性変位の加減により、ハウジングに配列配置された複数のコンタクトの配列方向における位置ずれを生じる虞があるものとなる。例えば、配線板状部材のハウジングへの差込み部を通じた差込みの都度、一対の係合部材の夫々の弾性変位の状況が異なり、それに応じて、一対の係合部材により挟まれる配線板状部材のハウジングに対する位置、特に、複数のコンタクトの配列方向における位置が、常に変わらず安定したものとはならず、変位してしまう事態が生じ得る。
【００１２】
ハウジングに差し込まれた配線板状部材のハウジングに対する位置は、配線板状部材に配列配置されて設けられた複数の接触端子部が、常時、ハウジングに配列配置された複数のコンタクトに夫々適正に接触接続されることになるものであることが必要とされるが、配線板状部材のハウジングに対する位置、特に、複数のコンタクトの配列方向における位置が変位してしまうと、配線板状部材における複数の接触端子部がハウジングにおける複数のコンタクトに夫々適正に接触接続されなくなってしまう虞がある。
【００１３】
それゆえ、配線板状部材の配線基板への取付けにあたって用いられるコネクタ装置にあっては、配線板状部材をハウジングにそれに形成された差込み部を通じて差し込むにあたり、ハウジングに差し込まれた配線板状部材のハウジングに対する位置、特に、ハウジングに配列配置されて設けられた複数のコンタクトの配列方向における位置が、常に変わらず安定したものとなるようにされることが求められている。
【００１４】
斯かる点に鑑み、本願の特許請求の範囲に記載された発明は、例えば、フレキシブル印刷配線基板等とされる配線板状部材の主配線基板への取付けに用いられる、配線板状部材についての差込み部が設けられたハウジングと、ハウジングに配列配置されて設けられる複数のコンタクトとを備えたコネクタ装置であって、ハウジングの構成の複雑化をまねかず、その結果、製造コストの高騰をもたらすことなく、ハウジングに差込み部を通じて差し込まれた配線板状部材のハウジングに対する位置、特に、ハウジングに配列配置されて設けられた複数のコンタクトの配列方向における位置を、常に変わらず安定したものとすることができるものを提供する。
【課題を解決するための手段】
【００１５】
本願の特許請求の範囲における請求項１から請求項７までのいずれかに記載された発明（以下、本願発明という。）に係るコネクタ装置は、板状部材差込み部及びそれに連結された板状部材収容部が設けられたハウジングと、ハウジングに配列配置されて設けられ、板状部材差込み部を通じてハウジングに差し込まれて板状部材収容部に部分的に収容された配線板状部材における複数の接触端子部に夫々接触接続される複数のコンタクトとを備え、ハウジングが、板状部材収容部を形成するものとして複数のコンタクトの配列方向において相互対向する第１及び第２の側壁部と複数のコンタクトの配列方向に直交する方向において相互対向する第１及び第２の平面部とを有し、第１の平面部を配線基板に対接させて当該配線基板に取り付けられるものとされて構成される。そして、第１の側壁部に、それから板状部材収容部内に突出してハウジング外に露出することなく第１及び第２の平面部の間となる位置に配され、板状部材差込み部を通じてハウジングに差し込まれた配線板状部材の相互対向する第１及び第２の側端部のうちの第１の側端部に当接して、配線板状部材に第２の側壁部に向かう方向の弾性力を作用させる弾性押圧部材が設けられるとともに、第２の側壁部に、板状部材差込み部を通じてハウジングに差し込まれた配線板状部材における第１及び第２の側端部のうちの第２の側端部が当接する当接面部が設けられ、弾性押圧部材が、第１の平面部に形成された開口部を通じて第１の平面部の外部に臨むものとされたことを特徴とするものとされる。
【００１６】
特に、本願発明のうちの本願の特許請求の範囲における請求項４に記載された発明に係るコネクタ装置は、弾性押圧部材が、ハウジングから伸びる弾性アーム状部とそれにより支持された当接係合部とを有し、配線板状部材の板状部材差込み部を通じたハウジングへの差込みがされていないもとで、ハウジングにおける当接面部から当接係合部までの距離が、配線板状部材における相互対向する第１及び第２の側端部のうちの一方から他方までの距離より小に選定されるものとされる。
【００１７】
上述のような本願発明に係るコネクタ装置にあっては、配線板状部材が、ハウジングにそれに設けられた板状部材差込み部を通じて差し込まれ、板状部材差込み部に連結された板状部材収容部に部分的に収容されるとき、ハウジングにおける第１の側壁部に設けられた弾性押圧部材が、ハウジングに差し込まれた配線板状部材の第１の側端部に当接して、配線板状部材にハウジングにおける第２の側壁部に向かう方向の弾性力を作用させ、配線板状部材をハウジングにおける第２の側壁部に向けて押圧する。それにより、ハウジングに差し込まれた配線板状部材が、その第２の側端部をハウジングにおける第２の側壁部に設けられた当接面部に当接させて、ハウジングに対する複数のコンタクトの配列方向の位置決めがなされた状態をもって、ハウジングに設けられた板状部材収容部に部分的に収容される。
【００１８】
ハウジングに差し込まれた配線板状部材にハウジングにおける第２の側壁部に向かう方向の弾性力を作用させる弾性押圧部材は、例えば、ハウジングと一体に形成された片持ち舌片状部を成すものとされる。
【００１９】
ハウジングに設けられた複数のコンタクトは、例えば、板状部材差込み部を通じてハウジングに差し込まれた配線板状部材が、その第２の側端部をハウジングにおける第２の側壁部に設けられた当接面部に当接させた状態をもって板状部材収容部に部分的に収容されたとき、その配線板状部材における複数の接触端子部に夫々対応する位置をとるものとされる。そして、ハウジングに対する複数のコンタクトの配列方向の位置決めがなされて板状部材収容部に部分的に収容された配線板状部材に対して、ハウジングに配された複数のコンタクトが配線板状部材における複数の接触端子部に当接せしめられ、複数のコンタクトが配線板状部材における複数の接触端子部に接触接続される状態がとられる。
【００２０】
特に、本願発明のうちの本願の特許請求の範囲における請求項４に記載された発明に係るコネクタ装置にあっては、ハウジングにおける第１の側壁部に設けられた弾性押圧部材が、ハウジングから伸びる弾性アーム状部とそれにより支持された当接係合部とを有して形成され、配線板状部材の板状部材差込み部を通じたハウジングへの差込みがされていないもとで、ハウジングにおける第２の側壁部に設けられた当接面部から当接係合部までの距離が、配線板状部材における相互対向する第１及び第２の側端部のうちの一方から他方までの距離より小に選定される。
【００２１】
また、本願発明に係るコネクタ装置は、例えば、本願の特許請求の範囲における請求項７に記載された発明に係るコネクタ装置のように、ハウジングに対して回動可能に設けられて第１の静止位置と第２の静止位置とを選択的にとるアクチュエータを備えるものとされてもよく、斯かる場合には、アクチュエータが、配線板状部材がハウジングに設けられた板状部材収容部に部分的に収容されたもとで、第１の静止位置から第２の静止位置に移行せしめられるとき、ハウジングに配列配置されて配された複数のコンタクトの夫々に配線板状部材における複数の接触端子部のうちの対応するものに対する押圧接触状態をとらせ、第２の静止位置から第１の静止位置に移行せしめられるとき、複数のコンタクトの夫々を複数の接触端子部のうちの対応するものに対する押圧接触状態から解放する。
【発明の効果】
【００２２】
本願発明に係るコネクタ装置においては、上述のように、配線板状部材が、ハウジングにそれに設けられた板状部材差込み部を通じて差し込まれ、板状部材差込み部に連結された板状部材収容部に部分的に収容されるとき、ハウジングにおける第１の側壁部に設けられた弾性押圧部材が、ハウジングに差し込まれた配線板状部材の第１の側端部に当接して、配線板状部材にハウジングにおける第２の側壁部に向かう方向の弾性力を作用させ、配線板状部材をハウジングにおける第２の側壁部に向けて押圧し、それにより、ハウジングに差し込まれた配線板状部材は、その第２の側端部をハウジングにおける第２の側壁部に設けられた当接面部に当接させることにより、ハウジングに対する複数のコンタクトの配列方向の位置決めがなされる。即ち、配線板状部材がハウジングにそれに設けられた板状部材差込み部を通じて差し込まれる都度、ハウジングに差し込まれた配線板状部材のハウジングに対する位置、特に、ハウジングに配列配置されて配された複数のコンタクトの配列方向の位置が、配線板状部材の第２の側端部が当接するハウジングに設けられた当接面部を基準にして決められるのであり、ハウジングに設けられた当接面部はハウジングにおける不変の位置を提供するので、ハウジングに差し込まれた配線板状部材のハウジングに対する複数のコンタクトの配列方向の位置も、常に変わらないものとされる。
【００２３】
従って、本願発明に係るコネクタ装置によれば、ハウジングの構成の複雑化をまねかず、その結果、製造コストの高騰をもたらすことなく、ハウジングに板状部材差込み部を通じて差し込まれた配線板状部材のハウジングに対する位置、特に、ハウジングに配列配置されて設けられた複数のコンタクトの配列方向における位置を、ハウジングに設けられた当接面部を基準にして決められる、常に変わらず安定したものとすることができる。そして、ハウジングに差し込まれた配線板状部材の、ハウジングに対する複数のコンタクトの配列方向における位置を、ハウジングに設けられた当接面部を基準にして決められる常に変わらないものとすることができることにより、ハウジングに配列配置されて配された複数のコンタクトの、ハウジングに差し込まれた配線板状部材における複数の接触端子部との接触接続を、適正かつ確実に行われるものとすることができる。それに加えて、弾性押圧部材が、第１の側壁部から板状部材収容部内に突出してハウジング外に露出することなく第１及び第２の平面部の間となる位置に配され、第１の平面部に形成された開口部を通じて第１の平面部の外部に臨むものとされるので、ハウジングが第１の平面部を配線基板に対接させて当該配線基板に取り付けられたもとにあっては、第１の平面部に形成された開口部が配線基板によって塞がれ、弾性押圧部材にハウジング外からの塵埃等が付着する虞が殆どないことになる。
【００２４】
また、本願発明のうちの本願の特許請求の範囲における請求項４に記載された発明に係るコネクタ装置にあっては、ハウジングにおける第１の側壁部に設けられた弾性押圧部材が、ハウジングから伸びる弾性アーム状部とそれにより支持された当接係合部とを有して形成され、配線板状部材の板状部材差込み部を通じたハウジングへの差込みがされていないもとで、ハウジングにおける第２の側壁部に設けられた当接面部から当接係合部までの距離が、配線板状部材における相互対向する第１及び第２の側端部のうちの一方から他方までの距離より小に選定されるので、配線板状部材が、ハウジングにそれに設けられた板状部材差込み部を通じて差し込まれ、板状部材差込み部に連結された板状部材収容部に部分的に収容されるとき、配線板状部材の第１の側端部が弾性押圧部材の弾性アーム状部及び当接係合部をハウジングにおける第２の側壁部に設けられた当接面部から遠ざかるように弾性変位させることになる。それにより、弾性押圧部材がハウジングに差し込まれた配線板状部材に作用させるハウジングにおける第２の側壁部に向かう方向の弾性力が増大せしめられて、弾性押圧部材による配線板状部材に対するハウジングにおける第２の側壁部に向けての押圧が、適正かつ確実に行われる。
【図面の簡単な説明】
【００２５】
【図１】本願発明に係るコネクタ装置の一例を、それに装着されるフレキシブル印刷配線基板と共に示す斜視図である。
【図２】本願発明に係るコネクタ装置の一例を示す平面図である。
【図３】本願発明に係るコネクタ装置の一例を示す正面図である。
【図４】図３におけるIV−IV線断面を示す断面図である。
【図５】図３における V−V 線断面を示す断面図である。
【図６】本願発明に係るコネクタ装置の一例の断面と本願発明に係るコネクタ装置に装着されるフレキシブル印刷配線基板とを示す、一部断面を含む平面図である。
【図７】本願発明に係るコネクタ装置の一例の部分を示す部分斜視図である。
【図８】本願発明に係るコネクタ装置の一例の部分とそれに装着されたフレキシブル印刷配線基板の部分とを示す、一部断面を含む部分斜視図である。
【図９】本願発明に係るコネクタ装置の一例とそれに装着されたフレキシブル印刷配線基板とを示す斜視図である。
【図１０】本願発明に係るコネクタ装置の一例とそれに装着されたフレキシブル印刷配線基板とを示す一部断面を含む平面図である。
【図１１】本願発明に係るコネクタ装置の一例とそれに装着されたフレキシブル印刷配線基板とを示す断面図である。
【発明を実施するための形態】
【００２６】
本願発明を実施するための形態は、以下に述べられる本願発明についての実施例をもって説明される。
【実施例】
【００２７】
図１（斜視図）は、本願発明に係るコネクタ装置の一例を、それに装着される配線板状部材を成すフレキシブル印刷配線基板と共に示し、図２（平面図）及び図３（正面図）は、本願発明に係るコネクタ装置の一例を示す。
【００２８】
図１〜図３において、本願発明に係るコネクタ装置の一例を成すコネクタ装置１０は、合成樹脂等の絶縁材料によって形成され、電子機器の配線基板等上に配されるハウジング１１を備えている。ハウジング１１には、その正面側端縁部に板状部材差込み部１２が設けられており、板状部材差込み部１２からハウジング１１の内部へと板状部材収容部１３（後述される図４〜図７に示される。）が伸びている。即ち、ハウジング１１には、その内部に、板状部材収容部１３が板状部材差込み部１２に連結されたものとして設けられているのである。
【００２９】
ハウジング１１が、例えば、電子機器の配線基板上に配されるときには、コネクタ装置１０の全体が電子機器の配線基板に取り付けられたものとされる。そして、電子機器の配線基板上に配されたハウジング１１に、配線板状部材を成すフレキシブル印刷配線基板１５の一端部が、板状部材差込み部１２を通じてその内部へと差し込まれ、フレキシブル印刷配線基板１５が、ハウジング１１の内部に設けられた板状部材収容部１３に部分的に収容された状態におかれる。
【００３０】
ハウジング１１には、各々が弾性導電材料で形成された複数の第１のコンタクト１６と各々が弾性導電材料で形成された複数の第２のコンタクト１７とが、ハウジング１１の長手方向に沿う方向において交互に配される状態のもとに配列配置されて設けられている。複数の第１のコンタクト１６の夫々は、その大部分がハウジング１１の内部に収容されたものとされているが、図２に示されるように、一端部がハウジング１１における正面側端縁部に対向する背面側端縁部からその外部に突出して接続端子部１６ａを形成している。また、複数の第２のコンタクト１７の夫々も、その大部分がハウジング１１の内部に収容されたものとされているが、図１及び図２に示されるように、一端部がハウジング１１における正面側端縁部からその外部に突出して接続端子部１７ａを形成している。
【００３１】
フレキシブル印刷配線基板１５には、その一端部において、複数の第１の接触端子部１８と複数の第２の接触端子部１９とが、ハウジング１１に対する板状部材差込み部１２を通じた差込みまたは抜出し方向に直交する方向において交互に配される状態のもとに配列配置されている（以下、複数の第１の接触端子部１８と複数の第２の接触端子部１９とが配列配置されたフレキシブル印刷配線基板１５の一端部を端子端部という。）。また、フレキシブル印刷配線基板１５は、その端子端部に配列配置された複数の第１の接触端子部１８及び複数の第２の接触端子部１９をそれらの配列方向において挟むことになる、相互対向する第１の側端部２０と第２の側端部２１とを有している。
【００３２】
このようなフレキシブル印刷配線基板１５に対応して、複数の第１のコンタクト１６は、フレキシブル印刷配線基板１５に配列配置された複数の第１の接触端子部１８に夫々接触接続される信号用コンタクトとして設けられており、また、複数の第２のコンタクト１７が、フレキシブル印刷配線基板１５に配列配置された複数の第２の接触端子部１９に夫々接触接続される信号用コンタクトとして設けられているが、複数の第１のコンタクト１６及び複数の第２のコンタクト１７は、他のフレキシブル印刷配線基板における複数の信号接触端子部及び接地接続部に接触接続される信号用及び接地用コンタクトとして用いられてもよい。
【００３３】
複数の第１のコンタクト１６及び複数の第２のコンタクト１７の配列方向を長手方向とするハウジング１１は、板状部材差込み部１２を通じたフレキシブル印刷配線基板１５の差込みまたは抜出し方向を奥行き方向とし、その長手方向及び奥行き方向に直交する方向を厚み方向とするものとされる。そして、フレキシブル印刷配線基板１５は、板状部材差込み部１２を通じてハウジング１１に差し込まれるにあたっては、複数の第１の接触端子部１８及び複数の第２の接触端子部１９が配された面及びそれに対向する面が、ハウジング１１の厚み方向において相互対向する状態におかれる。
【００３４】
また、ハウジング１１における背面側端縁部側には、複数の第１のコンタクト１６及び複数の第２のコンタクト１７の配列方向、即ち、ハウジング１１の長手方向に沿って伸びるアクチュエータ２５が、ハウジング１１に対して回動可能に設けられている。アクチュエータ２５は、図１〜図３に示されるような、ハウジング１１に対して起き上がった状態におかれるものとされる位置を、第１の静止位置としてとることができ、また、後述される図８，図９及び図１１に示されるような、ハウジング１１に対して伏した状態におかれるものとされる位置を、第２の静止位置としてとることができて、回動操作されることにより、第１の静止位置から第２の静止位置への移行、あるいは、第２の静止位置から第１の静止位置への移行を行うものとされている。
【００３５】
斯かるもとで、ハウジング１１に配列配置されて設けられる複数の第１のコンタクト１６の夫々は、図３におけるIV−IV線断面を示す図４に示されるように、弾性導電材料で形成された、全体として「エ」字状を成す板状部材とされている。このような「エ」字状とされた第１のコンタクト１６にあっては、連結部２７によって相互連結された一対のビーム部２８及び２９のうち、ビーム部２８が固定部とされて、ビーム部２９が作動部とされる。そして、固定部とされるビーム部２８の板状部材差込み部１２側の部分と作動部とされるビーム部２９の板状部材差込み部１２側の部分とは、ハウジング１１の厚み方向において相互対向するものとされてハウジング１１内の板状部材収容部１３に配されている。固定部とされるビーム部２８の一端部は、ハウジング１１の背面側端縁部からその外部に導出されて接続端子部１６ａを成すものとされており、ハウジング１１が配される、例えば、電子機器の配線基板に設けられた配線部に接続される。
【００３６】
また、ハウジング１１に配列配置されて設けられる複数の第２のコンタクト１７の夫々も、図３における V−V 線断面を示す図５に示されるように、弾性導電材料で形成された、全体として「エ」字状を成す板状部材とされている。このような「エ」字状とされた第２のコンタクト１７にあっては、連結部３０によって相互連結された一対のビーム部３１及び３２のうち、ビーム部３１が固定部とされて、ビーム部３２が作動部とされる。そして、固定部とされるビーム部３１の板状部材差込み部１２側の部分と作動部とされるビーム部３２の板状部材差込み部１２側の部分とは、ハウジング１１の厚み方向において相互対向するものとされてハウジング１１内の板状部材収容部１３に配されている。固定部とされるビーム部３１の一端部は、ハウジング１１の正面側端縁部からその外部に導出されて接続端子部１７ａを成すものとされており、ハウジング１１が配される、例えば、電子機器の配線基板に設けられた配線部に接続される。
【００３７】
ハウジング１１に対して回動可能に配されたアクチュエータ２５には、図４及び図５に示されるように、ハウジング１１内において複数の第１のコンタクト１６に夫々係合する複数のカム部３５及び複数の第２のコンタクト１７に夫々係合する複数のカム部３６が設けられている。複数のカム部３５の夫々は、複数の第１のコンタクト１６のうちの対応するものにおけるビーム部２８の接続端子部１６ａを成す一端部の近傍となる部分２８ａとそれに対向するビーム部２９の端部２９ａとに挟まれていて、アクチュエータ２５の回動に伴って回動する。また、複数のカム部３６の夫々は、複数の第２のコンタクト１７のうちの対応するものにおけるビーム部３１の端部３１ａとそれに対向するビーム部３２の端部３２ａとに挟まれていて、アクチュエータ２５の回動に伴って回動する。
【００３８】
アクチュエータ２５が、図１〜図３に示されるように、第１の静止位置をとるもとにあっては、複数のカム部３５の夫々における断面差渡し径が極大となる極大寸法部以外の部分が、対応する第１のコンタクト１６におけるビーム部２８の部分２８ａとビーム部２９の端部２９ａとに当接する。斯かる状況のもとでは、複数のカム部３５の夫々に対応する第１のコンタクト１６は、固定部を成すビーム部２８の端部２８ｂと作動部を成すビーム部２９の端部２９ｂとが、ハウジング１１内の板状部材収容部１３において形成する相互間間隔を、比較的大なるものに維持するものとされる。同様に、アクチュエータ２５が第１の静止位置をとるもとにあっては、複数のカム部３６の夫々における断面差渡し径が極大となる極大寸法部以外の部分が、対応する第２のコンタクト１７におけるビーム部３１の端部３１ａとビーム部３２の端部３２ａとに当接する。斯かる状況のもとでは、複数のカム部３６の夫々に対応する第２のコンタクト１７は、固定部を成すビーム部３１の接続端子部１７ａを成す一端部側の部分３１ｂと作動部を成すビーム部３２の端部３２ｂとが、ハウジング１１内の板状部材収容部１３において形成する相互間間隔を、比較的大なるものに維持するものとされる。
【００３９】
ハウジング１１は、その長手方向において配列配置された複数の第１のコンタクト１６及び複数の第２のコンタクト１７を挟んで相互対向する第１の側壁部４１と第２の側壁部４２とを、ハウジング１１の厚み方向において相互対向する第１及び第２の平面部を成す底面部４３及び上面部４４と共に板状部材収容部１３を形成するものとして有している。そして、図６に示されるように、第１の側壁部４１に、それから板状部材収容部１３内に突出してハウジング１１外に露出することなく配された弾性押圧部材４５が設けられており、また、第２の側壁部４２に、板状部材収容部１３に臨む当接面部４６が設けられている。
【００４０】
弾性押圧部材４５は、ハウジング１１における第１の側壁部４１の板状部材収容部１３に臨む内面部から伸びる弾性アーム状部４７と弾性アーム状部４７により支持された当接係合部４８とを有してハウジング１１と一体に形成されており、片持ち舌片状部を成すものとされている。また、当接面部４６は、弾性押圧部材４５に対向する基準平面を成すものとされている。そして、フレキシブル印刷配線基板１５の板状部材差込み部１２を通じたハウジング１１への差込みがなされていないもとで、ハウジング１１における当接面部４６から弾性押圧部材４５の当接係合部４８までの距離が、フレキシブル印刷配線基板１５における相互対向する第１の側端部２０及び第２の側端部２１のうちの一方から他方までの距離より小となるように選定されている。
【００４１】
弾性押圧部材４５が設けられた第１の側壁部４１及び当接面部４６が設けられた第２の側壁部４２を有するものとされたハウジング１１は、例えば、電子機器の配線基板上に配されるときには、底面部４３側の外面部を配線基板に対接させ、底面部４３側の外面部に対向する上面部４４側の外面部を配線基板上において外部に臨むものとなす。そして、図７に示されるように、弾性押圧部材４５は、ハウジング１１の厚み方向において底面部４３と上面部４４との間となる位置に配されることになり、底面部４３側においては、底面部４３に形成された開口部４９を通じて底面部４３側の外面部から外部に臨み、上面部４４側においては、上面部４４により覆われて上面部４４側の外面部からは露出しないものとされる。
【００４２】
ハウジング１１の底面部４３に形成された開口部４９は、ハウジング１１が、例えば、電子機器の配線基板上に配されるときには、ハウジング１１の底面部４３側の外面部が配線基板に対接せしめられることにより当該配線基板によって塞がれる。それゆえ、ハウジング１１が配線基板上に配されたもとにおいては、ハウジング１１における第１の側壁部４１に設けられた弾性押圧部材４５に、外部からの塵埃等が付着することになる事態が生じる虞は著しく小なるものとされる。
【００４３】
このようなコネクタ装置１０にあっては、アクチュエータ２５が第１の静止位置をとるもとにおいて、図１及び図６に示される状態におかれた配線板状部材としてのフレキシブル印刷配線基板１５が、その端子端部をもって、ハウジング１１に、板状部材差込み部１２を通じて、ハウジングの長手方向に直交する奥行き方向に沿って差し込まれるものとされる。その際、フレキシブル印刷配線基板１５における第１の側端部２０が、ハウジング１１における第１の側壁部４１に設けられた弾性押圧部材４５の当接係合部４８に当接し、弾性押圧部材４５の弾性アーム状部４７及び当接係合部４８をハウジング１１における第２の側壁部４２に設けられた当接面部４６から遠ざかるように弾性変位させる。それにより、図８に示されるように、弾性押圧部材４５が、その当接係合部４８をハウジング１１に差し込まれたフレキシブル印刷配線基板１５における第１の側端部２０に弾性当接させるものとされて、ハウジング１１に差し込まれたフレキシブル印刷配線基板１５に、ハウジング１１における第２の側壁部４２に向かう方向の弾性力を作用させ、フレキシブル印刷配線基板１５をハウジング１１における第２の側壁部４２に設けられた当接面部４６側へと押圧する。このとき弾性押圧部材４５がフレキシブル印刷配線基板１５に作用させる弾性力は、弾性押圧部材４５の弾性アーム状部４７及び当接係合部４８が弾性変位せしめられることにより増大されたものとされる。
【００４４】
それにより、ハウジング１１に差し込まれたフレキシブル印刷配線基板１５における第２の側端部２１が、ハウジング１１における第２の側壁部４２に設けられた当接面部４６に当接し、ハウジング１１に差し込まれたフレキシブル印刷配線基板１５が、ハウジング１１に対して、その長手方向、即ち、複数の第１のコンタクト１６及び複数の第２のコンタクト１７の配列方向の位置決めがなされた状態におかれる。斯かる際、ハウジング１１における第２の側壁部４２に設けられた当接面部４６はハウジング１１における基準平面を成すものとされているので、当接面部４６に第２の側端部２１を当接させたフレキシブル印刷配線基板１５のハウジング１１に対する位置、特に、ハウジング１１の長手方向である複数の第１のコンタクト１６及び複数の第２のコンタクト１７の配列方向における位置が、常に変わらず安定したものとされる。
【００４５】
そして、フレキシブル印刷配線基板１５における端子端部のハウジング１１への板状部材差込み部１２を通じた差込みが完了すると、フレキシブル印刷配線基板１５における端子端部が、ハウジング１１に設けられた板状部材収容部１３に収容され、ハウジング１１に差し込まれたフレキシブル印刷配線基板１５が板状部材収容部１３に部分的に収容された状態とされる。このとき、板状部材収容部１３に部分的に収容されたフレキシブル印刷配線基板１５の端子端部は、板状部材収容部１３内において、複数の第１のコンタクト１６の夫々におけるビーム部２８の板状部材差込み部１２側の部分とビーム部２９の板状部材差込み部１２側の部分との間、及び、複数の第２のコンタクト１７の夫々におけるビーム部３１の板状部材差込み部１２側の部分とビーム部３２の板状部材差込み部１２側の部分との間に配される。
【００４６】
また、板状部材収容部１３に部分的に収容されたフレキシブル印刷配線基板１５の端子端部は、その第１の側端部２０に弾性押圧部材４５の当接係合部４８が弾性当接していて、弾性押圧部材４５からのハウジング１１における第２の側壁部４２に向かう方向の弾性力を受けており、弾性押圧部材４５によってハウジング１１における第２の側壁部４２に設けられた当接面部４６側へと押圧されていて、それにより、第２の側端部２１を当接面部４６に当接させて、ハウジング１１に対するその長手方向、即ち、複数の第１のコンタクト１６及び複数の第２のコンタクト１７の配列方向の位置決めがなされた状態におかれている。
【００４７】
このようにして、板状部材収容部１３に部分的に収容されたフレキシブル印刷配線基板１５についての、複数の第１のコンタクト１６及び複数の第２のコンタクト１７の配列方向の位置決めがなされたもとにあっては、ハウジング１１に配列配置された複数の第１のコンタクト１６が、板状部材収容部１３に部分的に収容されたフレキシブル印刷配線基板１５における複数の第１の接触端子部１８に夫々適正に対応する位置をとるものとされるとともに、ハウジング１１に配列配置された複数の第２のコンタクト１７が、板状部材収容部１３に部分的に収容されたフレキシブル印刷配線基板１５における複数の第２の接触端子部１９に夫々適正に対応する位置をとるものとされる。
【００４８】
その後、アクチュエータ２５が、第１の静止位置から第２の静止位置へとハウジング１１に対して回動せしめられ、図９及び図１０に示されるように、第２の静止位置をとるものとされると、板状部材収容部１３に部分的に収容されていて、図１０における二点鎖線枠Ｄ内に示されるように、第１の側端部２０に弾性当接する弾性押圧部材４５によってハウジング１１における第２の側壁部４２に設けられた当接面部４６側へと押圧され、それにより、第２の側端部２１を当接面部４６に当接させて、複数の第１のコンタクト１６及び複数の第２のコンタクト１７の配列方向の位置決めがなされたフレキシブル印刷配線基板１５に対して、ハウジング１１に配列配置された複数の第１のコンタクト１６及び複数の第２のコンタクト１７が係合する状態がとられる。このような板状部材収容部１３に部分的に収容されたフレキシブル印刷配線基板１５に対する複数の第１のコンタクト１６及び複数の第２のコンタクト１７の係合は、複数の第１のコンタクト１６が、フレキシブル印刷配線基板１５における複数の第１の接触端子部１８に夫々押圧接触するものとされるとともに、複数の第２のコンタクト１７が、フレキシブル印刷配線基板１５における複数の第２の接触端子部１９に夫々押圧接触するものとされることによりなされる。
【００４９】
斯かる際においては、先ず、アクチュエータ２５が第１の静止位置をとり、ハウジング１１に板状部材差込み部１２を通じて差し込まれたフレキシブル印刷配線基板１５の端子端部が、ハウジング１１に設けられた板状部材収容部１３内において、複数の第１のコンタクト１６の夫々におけるビーム部２８の板状部材差込み部１２側の部分とビーム部２９の板状部材差込み部１２側の部分との間、及び、複数の第２のコンタクト１７の夫々におけるビーム部３１の板状部材差込み部１２側の部分とビーム部３２の板状部材差込み部１２側の部分との間に配されたもとにおいて、第１の静止位置をとるアクチュエータ２５が、回動操作されることにより、第１の静止位置から第２の静止位置に移行すべく回動せしめられ、ハウジング１１に対して伏した状態におかれる。それにより、アクチュエータ２５の第１の静止位置から第２の静止位置への移行に伴って、図１１に示されるように、アクチュエータ２５に設けられた複数のカム部３６の夫々が、その極大寸法部を対応する第２のコンタクト１７における固定部を成すビーム部３１の端部３１ａと作動部を成すビーム部３２の端部３２ａとの両者に係合させる。
【００５０】
第２のコンタクト１７におけるビーム部３１の端部３１ａとビーム部３２の端部３２ａとの両者に係合するカム部３６の極大寸法部は、ビーム部３２に、仮にフレキシブル印刷配線基板１５の端子端部が板状部材収容部１３に収容されていないとすれば、ビーム部３１の部分３１ｂとビーム部３２の端部３２ｂとが板状部材収容部１３内において形成する相互間間隔を狭めるように変位させることになる応力を作用させ、ビーム部３２は、その端部３２ｂが板状部材収容部１３に収容されたフレキシブル印刷配線基板１５の端子端部における複数の第２の接触端子部１９のうちの対応するものに押圧接触することになり、複数の第２のコンタクト１７の夫々が、複数の第２の接触端子部１９のうちの対応するものに対する押圧接触状態におかれる。それにより、板状部材収容部１３に収容されたフレキシブル印刷配線基板１５の端子端部における複数の第２の接触端子部１９の夫々が、対応する第２のコンタクト１７を通じて、ハウジング１１が配された配線基板に設けられた配線部に電気的に接続されることになる。
【００５１】
また、図示は省略されているが、アクチュエータ２５の第１の静止位置から第２の静止位置への移行に伴って、アクチュエータ２５に設けられた複数のカム部３５の夫々が、その極大寸法部を対応する第１のコンタクト１６における固定部を成すビーム部２８の部分２８ａと作動部を成すビーム部２９の端部２９ａとの両者に係合させる。第１のコンタクト１６におけるビーム部２８の部分２８ａとビーム部２９の端部２９ａとの両者に係合するカム部３５の極大寸法部は、ビーム部２９に、仮にフレキシブル印刷配線基板１５の端子端部が板状部材収容部１３に収容されていないとすれば、ビーム部２８の部分２８ｂとビーム部２９の端部２９ｂとが板状部材収容部１３内において形成する相互間間隔を狭めるように変位させることになる応力を作用させ、ビーム部２９は、その端部２９ｂが板状部材収容部１３に収容されたフレキシブル印刷配線基板１５の端子端部における複数の第１の接触端子部１８のうちの対応するものに押圧接触することになり、複数の第１のコンタクト１６の夫々が、複数の第１の接触端子部１８のうちの対応するものに対する押圧接触状態におかれる。それにより、板状部材収容部１３に収容されたフレキシブル印刷配線基板１５の端子端部における複数の第１の接触端子部１８の夫々が、対応する第１のコンタクト１６を通じて、ハウジング１１が配された配線基板に設けられた配線部に電気的に接続されることになる。
【００５２】
斯かる際、板状部材収容部１３に部分的に収容されたフレキシブル印刷配線基板１５が、複数の第１のコンタクト１６及び複数の第２のコンタクト１７の配列方向の位置決めがなされたもとにあって、複数の第１のコンタクト１６が、板状部材収容部１３に収容されたフレキシブル印刷配線基板１５の端子端部における複数の第１の接触端子部１８に夫々適正に対応する位置をとるものとされるとともに、複数の第２のコンタクト１７が、板状部材収容部１３に収容されたフレキシブル印刷配線基板１５の端子端部における複数の第２の接触端子部１９に夫々適正に対応する位置をとるものとされているので、複数の第１のコンタクト１６の夫々におけるビーム部２９の端部２９ｂのそれに対応する第１の接触端子部１８に対する押圧接触、及び、複数の第２のコンタクト１７の夫々におけるビーム部３２の端部３２ｂのそれに対応する第２の接触端子部１９に対する押圧接触は、適正かつ確実に行われる。
【００５３】
その後、コネクタ装置１０は、必要に応じて、第２の静止位置をとるアクチュエータ２５を、複数の第１のコンタクト１６の夫々をフレキシブル印刷配線基板１５の端子端部における複数の第１の接触端子部１８のうちの対応するものに対する押圧接触状態から解放するとともに、複数の第２のコンタクト１７の夫々をフレキシブル印刷配線基板１５の端子端部における複数の第２の接触端子部１９のうちの対応するものに対する押圧接触状態から解放すべく、第１の静止位置に移行させることになる状態におかれる。
【００５４】
第２の静止位置をとるアクチュエータ２５が第１の静止位置に移行せしめられる際には、第２の静止位置をとるアクチュエータ２５が、回動操作されて、第２の静止位置から第１の静止位置に移行すべく回動せしめられ、ハウジング１１に対して立ち上がった状態におかれる。それにより、アクチュエータ２５の第２の静止位置から第１の静止位置への移行に伴って、アクチュエータ２５に設けられた複数のカム部３５の夫々が、その極大寸法部以外の部分を対応する第１のコンタクト１６における固定部を成すビーム部２８の部分２８ａと作動部を成すビーム部２９の端部２９ａとの両者に係合させる。
【００５５】
第１のコンタクト１６におけるビーム部２８の部分２８ａとビーム部２９の端部２９ａとの両者に係合するカム部３５の極大寸法部以外の部分は、ビーム部２９に、ビーム部２８の端部２８ｂとビーム部２９の端部２９ｂとが板状部材収容部１３内において形成する相互間間隔を広げる方向に変位しようとする状態をとらせ、それにより、ビーム部２９の端部２９ｂが、板状部材収容部１３に収容されたフレキシブル印刷配線基板１５の端子端部における複数の第１の接触端子部１８のうちの対応するものに押圧接触する状態から解放される。
【００５６】
また、アクチュエータ２５の第２の静止位置から第１の静止位置への移行に伴って、アクチュエータ２５に設けられた複数のカム部３６の夫々が、その極大寸法部以外の部分を対応する第２のコンタクト１７における固定部を成すビーム部３１の端部３１ａと作動部を成すビーム部３２の端部３２ａとの両者に係合させる。第２のコンタクト１７におけるビーム部３１の端部３１ａとビーム部３２の端部３２ａとの両者に係合するカム部３６の極大寸法部以外の部分は、ビーム部３２に、ビーム部３１の部分３１ｂとビーム部３２の端部３２ｂとが板状部材収容部１３内において形成する相互間間隔を広げる方向に変位しようとする状態をとらせ、それにより、ビーム部３２の端部３２ｂが、板状部材収容部１３に収容されたフレキシブル印刷配線基板１５の端子端部における複数の第２の接触端子部１９のうちの対応するものに押圧接触する状態から解放される。
【００５７】
それにより、複数の第１のコンタクト１６の夫々が、板状部材収容部１３に収容されたフレキシブル印刷配線基板１５の端子端部における複数の第１の接触端子部１８のうちの対応するものに対する押圧接触状態から解放されるとともに、複数の第２のコンタクト１７の夫々が、板状部材収容部１３に収容されたフレキシブル印刷配線基板１５の端子端部における複数の第２の接触端子部１９のうちの対応するものに対する押圧接触状態から解放され、フレキシブル印刷配線基板１５がハウジング１１から適正に抜脱され得る状態におかれる。
【００５８】
なお、配線板状部材を成すフレキシブル印刷配線基板１５が、その第１の側端部２０に係合凹部が形成されたものとされ、ハウジング１１における第１の側壁部４１に設けられた弾性押圧部材４５が、板状部材差込み部１２を通じてハウジング１１に差し込まれたフレキシブル印刷配線基板１５の第１の側端部２０に形成された係合凹部に係合する状態をもって、フレキシブル印刷配線基板１５の第１の側端部２０に弾性当接するものとされてもよい。斯かる際には、弾性押圧部材４５がフレキシブル印刷配線基板１５の第１の側端部２０に形成された係合凹部に係合するにあたって、クリック感が得られ、それにより弾性押圧部材４５についての動作確認をすることができる。
【００５９】
上述のように、コネクタ装置１０にあっては、フレキシブル印刷配線基板１５が、ハウジング１１にそれに設けられた板状部材差込み部１２を通じて差し込まれ、板状部材差込み部１２に連結された板状部材収容部１３に部分的に収容されるとき、ハウジング１１における第１の側壁部４１に設けられた弾性押圧部材４５が、ハウジング１１に差し込まれたフレキシブル印刷配線基板１５の第１の側端部２０に当接して、フレキシブル印刷配線基板１５にハウジング１１における第２の側壁部４２に向かう方向の弾性力を作用させ、フレキシブル印刷配線基板１５をハウジング１１における第２の側壁部４２に向けて押圧し、それにより、ハウジング１１に差し込まれたフレキシブル印刷配線基板１５は、その第２の側端部２１をハウジング１１における第２の側壁部４２に設けられた当接面部４６に当接させることにより、ハウジング１１に対する複数の第１のコンタクト１６及び複数の第２のコンタクト１７の配列方向の位置決めがなされる。即ち、フレキシブル印刷配線基板１５がハウジング１１にそれに設けられた板状部材差込み部１２を通じて差し込まれる都度、ハウジング１１に差し込まれたフレキシブル印刷配線基板１５のハウジング１１に対する位置、特に、ハウジング１１に配列配置されて設けられた複数の第１のコンタクト１６及び複数の第２のコンタクト１７の配列方向の位置が、フレキシブル印刷配線基板１５の第２の側端部２１が当接するハウジング１１に設けられた当接面部４６を基準にして決められるのであり、ハウジング１１に設けられた当接面部４６はハウジング１１における不変の位置を提供するので、ハウジング１１に差し込まれたフレキシブル印刷配線基板１５のハウジング１１に対する複数の第１のコンタクト１６及び複数の第２のコンタクト１７の配列方向の位置も、常に変わらないものとされる。
【００６０】
従って、コネクタ装置１０によれば、ハウジング１１の構成の複雑化をまねかず、その結果、製造コストの高騰をもたらすことなく、ハウジング１１に板状部材差込み部１２を通じて差し込まれたフレキシブル印刷配線基板１５のハウジング１１に対する位置、特に、ハウジング１１に配列配置されて設けられた複数の第１のコンタクト１６及び複数の第２のコンタクト１７の配列方向の位置を、ハウジング１１に設けられた当接面部４６を基準にして決められる、常に変わらず安定したものとすることができる。そして、ハウジング１１に差し込まれたフレキシブル印刷配線基板１５の、ハウジング１１に対する複数の第１のコンタクト１６及び複数の第２のコンタクト１７の配列方向における位置を、ハウジング１１に設けられた当接面部４６を基準にして決められる常に変わらないものとすることができることにより、ハウジング１１に配列配置されて設けられた複数の第１のコンタクト１６のハウジング１１に差し込まれたフレキシブル印刷配線基板１５における複数の第１の接触端子部１８との接触接続、及び、ハウジング１１に配列配置されて設けられた複数の第２のコンタクト１７のハウジング１１に差し込まれたフレキシブル印刷配線基板１５における複数の第２の接触端子部１９との接触接続を、適正かつ確実に行われるものとすることができる。それに加えて、弾性押圧部材４５が、第１の側壁部４１から板状部材収容部１３内に突出してハウジング１１外に露出することなく底面部４３と上面部４４との間となる位置に配され、底面部４３に形成された開口部４９を通じて底面部４３の外部に臨むものとされるので、ハウジング１１が底面部４３を配線基板に対接させて当該配線基板に取り付けられたもとにあっては、底面部４３に形成された開口部４９が配線基板によって塞がれ、弾性押圧部材４５にハウジング１１外からの塵埃等が付着する虞が殆どないことになる。
【００６１】
また、コネクタ装置１０にあっては、ハウジング１１における第１の側壁部４１に設けられた弾性押圧部材４５が、ハウジング１１から伸びる弾性アーム状部４７とそれにより支持された当接係合部４８とを有して形成され、フレキシブル印刷配線基板１５の板状部材差込み部１２を通じたハウジング１１への差込みがされていないもとで、ハウジング１１における第２の側壁部４２に設けられた当接面部４６から当接係合部４８までの距離が、フレキシブル印刷配線基板１５における第１の側端部２０及び第２の側端部２１のうちの一方から他方までの距離より小に選定されるので、フレキシブル印刷配線基板１５が、ハウジング１１にそれに設けられた板状部材差込み部１２を通じて差し込まれ、板状部材差込み部１２に連結された板状部材収容部１３に部分的に収容されるとき、フレキシブル印刷配線基板１５の第１の側端部２０が弾性押圧部材４５の弾性アーム状部４７及び当接係合部４８をハウジング１１における第２の側壁部４２に設けられた当接面部４６から遠ざかるように弾性変位させることになる。それにより、弾性押圧部材４５がハウジング１１に差し込まれたフレキシブル印刷配線基板１５に作用させるハウジング１１における第２の側壁部４２に向かう方向の弾性力が増大せしめられて、弾性押圧部材４５によるフレキシブル印刷配線基板１５に対するハウジング１１における第２の側壁部４２に向けての押圧が、適正かつ確実に行われる。
【００６２】
上述のコネクタ装置１０は、ハウジング１１に対して回動可能とされたアクチュエータ２５を備えたものとされているが、本願発明に係るコネクタ装置にあっては、アクチュエータ２５あるいはそれに相当するアクチュエータを備えることは必ずしも必要とはされず、アクチュエータを備えることなく、例えば、フレキシブル印刷配線基板等の配線板状部材が板状部材差込み部を通じてハウジングに差し込まれるだけで、ハウジングに配列配置されて設けられた複数のコンタクトが配線板状部材に配列配置された複数の接触端子部に夫々接触接続される状態が得られるようにされてもよい。また、上述のコネクタ装置にあっては、複数の第１のコンタクト１６及び複数の第２のコンタクト１７が、フレキシブル印刷配線基板１５に対し、全てその上方から接触するものとされているが、本願発明に係るコネクタ装置は、斯かるものに限定されることなく、例えば、一種類の複数のコンタクトが、フレキシブル印刷配線基板等の配線板状部材に上下方向から交互に接触するものとされてもよい。
【産業上の利用可能性】
【００６３】
以上のような本願発明に係るコネクタ装置は、フレキシブル印刷配線基板等とされる配線板状部材の他の配線基板への取付けに用いられる、板状部材差込み部が設けられたハウジングと、ハウジングに配列配置されて設けられた複数のコンタクトとを備えたコネクタ装置であって、ハウジングの構成の複雑化をまねかず、その結果、製造コストの高騰をもたらすことなく、ハウジングに差込み部を通じて差し込まれた配線板状部材のハウジングに対する複数のコンタクトの配列方向における位置を、常に変わらず安定したものとすることができるものとして、様々な電子機器等に広く適用され得るものである。
【符号の説明】
【００６４】
１０・・・コネクタ装置，  １１・・・ハウジング，  １２・・・板状部材差込み部，  １３・・・板状部材収容部，  １５・・・フレキシブル印刷配線基板，  １６・・・第１のコンタクト，  １７・・・第２のコンタクト，  １８・・・第１の接触端子部，  １９・・・第２の接触端子部，  ２０・・・第１の側端部，  ２１・・・第２の側端部，  ２５・・・アクチュエータ，  ２７，３０・・・連結部，  ２８，２９，３１，３２・・・ビーム部，  ３５，３６・・・カム部，  ４１・・・第１の側壁部，  ４２・・・第２の側壁部，  ４３・・・底面部，  ４４・・・上面部，  ４５・・・弾性押圧部材，  ４６・・・当接面分，  ４７・・・弾性アーム状部，  ４８・・・当接係合部
【図１】
0005776894.tif 000002
【図２】
0005776894.tif 000003
【図３】
0005776894.tif 000004
【図４】
0005776894.tif 000005
【図５】
0005776894.tif 000006
【図６】
0005776894.tif 000007
【図７】
0005776894.tif 000008
【図８】
0005776894.tif 000009
【図９】
0005776894.tif 000010
【図１０】
0005776894.tif 000011
【図１１】
0005776894.tif 000012